(57)【要約】【課題】言語機能を有する複数種のフォーマットのディスクを扱う場合に、単一の設定ファイルを用いて複数種のフォーマットのディスクの初期設定を自動的に行うことができるようにする。【解決手段】複数の言語の音声ストリーム、字幕ストリーム、メニュー情報を含む映像情報とその管理情報とを読み取るディスクドライブ部と、映像情報の中から使用する言語のストリームを設定する再生ストリーム設定情報管理部と、再生ストリーム設定情報管理部で設定した設定情報を格納する再生ストリーム設定情報管理テーブルと、再生ストリーム設定情報管理部の制御により、設定された言語のストリームを抽出する分離部とを有し、上記の再生ストリーム設定情報管理部は、再生ストリーム設定情報管理テーブルに記録された設定情報を用いて、複数種類のフォーマットのディスクの再生設定を行う手段を有する。【選択図】図２
2007179611.tif 000002
【特許請求の範囲】
【請求項１】
複数の言語の音声ストリーム、字幕ストリーム、メニュー情報を含む映像情報とその管理情報とを読み取るディスクドライブ部と、
前記ディスクドライブ部から出力された映像情報の中の任意のストリームを分離して抽出する分離部と、
前記分離するストリーム設定情報を格納した再生ストリーム設定情報管理テーブルと、
前記再生ストリーム設定情報管理テーブルに記録されたストリーム設定情報を用いて、前記分離部を制御し、複数種類の規格のディスクの再生設定を自動的に行う再生ストリーム設定情報管理部と、
を有することを特徴とする動画像再生装置。
【請求項２】
前記再生ストリーム設定情報管理部は、複数の言語のメニューのストリームの内、前記再生ストリーム設定情報管理テーブルに設定されている言語のメニューのストリームを抽出するように前記分離部を制御するメニュー言語切替機能部を有することを特徴とする請求項１記載の動画像再生装置。
【請求項３】
前記再生ストリーム設定情報管理部は、複数の言語の音声のストリームの内、前記再生ストリーム設定情報管理テーブルに設定されている言語の音声のストリームを抽出するように前記分離部を制御する音声言語切替機能部を有することを特徴とする請求項１記載の動画像再生装置。
【請求項４】
前記再生ストリーム設定情報管理部は、複数の言語の字幕のストリームの内、前記再生ストリーム設定情報管理テーブルに設定されている言語の字幕のストリームを抽出するように前記分離部を制御する字幕言語切替機能部（１２１ｂ３）を有することを特徴とする請求項１記載の動画像再生装置。
【請求項５】
前記再生ストリーム設定情報管理部は、前記ディスクのチャプターに附属されている前記管理情報からパレンタルロック情報が検出された場合、そのチャプターを飛ばして次のチャプターに繋げて再生するように前記分離部を制御するパレンタルロック機能部を有することを特徴とする請求項１記載の動画像再生装置。
【請求項６】
前記再生ストリーム設定情報管理テーブルは、再生ストリーム設定情報を複数記憶し、前記複数の再生ストリーム設定情報に優先順位を設定できることを特徴とする請求項１記載の動画像再生装置。
【請求項７】
複数の言語の音声ストリーム、字幕ストリーム、メニュー情報を含む映像情報とその管理情報とを読み取るディスクドライブ部と、前記ディスクドライブ部から出力された映像情報の中の任意のストリームを分離して抽出する分離部と、再生ストリーム設定情報を格納した再生ストリーム設定情報管理テーブルと、前記再生ストリーム設定情報の管理部とを有した装置の動画像再生方法であって、
再生するディスクが所定の複数の規格の範囲のディスクであるかどうかを判定し、
複数の規格の範囲のディスクである場合は、前記再生ストリーム設定情報管理テーブルに記録されたストリーム設定情報を読み出し、
読み出したストリーム設定情報で前記分離部を制御し、
複数の規格のディスクの再生ストリーム設定を自動的に行う
ことを特徴とする動画像再生方法。
【請求項８】
前記ストリームを設定するステップでは、
前記前記再生ストリーム設定情報管理テーブルに再生ストリーム設定情報が記録されていない場合、前記ディスクの管理情報に含まれるデフォルトの言語のストリームが前記分離部で抽出されるように、前記分離部を制御することを特徴とする請求項７記載の動画像再生方法。
【請求項９】
前記ディスクに、パレンタルロック情報が含まれている場合、パレンタルロック情報が含まれているチャプターをスキップさせるように前記分離部を制御することを特徴とする請求項７記載の動画像再生方法。
【請求項１０】
優先順位の異なる再生ストリーム設定情報が複数ある場合、優先順位の高い再生ストリーム設定情報を採用することを特徴とする請求項７記載の動画像再生方法。
【発明の詳細な説明】
【技術分野】
【０００１】
この発明は動画像再生装置及び動画像再生方法に関し、特に、それぞれが複数の規格で設計された記録媒体であって、かつ複数のストリームのコンテンツが記録された記録媒体から情報再生を行う際、装置の設定情報の管理方法を改良したものである。
【背景技術】
【０００２】
現在光ディスクとして、ＣＤ系光ディスク、赤色レーザで記録再生を行うＤＶＤ（Ｄｉｇｉｔａｌ  Ｖｅｒｓａｔｉｌｅ  Ｄｉｓｋ）系光ディスクがある。さらに近年では、青色レーザを用いて記録再生を行うＨＤ  ＤＶＤ（Ｈｉｇｈ  Ｄｉｆｉｎｉｔｉｏｎ  Ｄｉｇｉｔａｌ  Ｖｅｒｓａｔｉｌｅ  Ｄｉｓｋ）が実用化されている。この為、規格の異なる様々な光ディスクの種類を判別し、互換再生、互換記録機能を持たせるドライブ装置の開発が盛んに行われている。
【０００３】
ＤＶＤの大容量を利用し、複数種類の言語の音声、メニュー、字幕が含まれている場合がある。この複数種類の言語は、ユーザが設定することにより選択が可能である。しかし、上記した設定は、ディスクを入れ替えるたびにそのディスクに対して行っていた為、設定作業が煩わしかった。
【０００４】
そこで、ユーザが予め簡単な設定を再生装置に記憶させておくことにより、ディスクを装着した際の設定を自動で行うことができる再生装置がある（特許文献１参照）。
【特許文献１】特開２００５−１８２９５９公報
【発明の開示】
【発明が解決しようとする課題】
【０００５】
特許文献２に示されている発明では、設定を行うディスクは単一のフォーマットに対してのみであり、複数の規格フォーマットの場合に関して触れられていない。その為、設定されているフォーマット以外のフォーマットのデータを使用する場合には、ディスクを装着する度に言語等の初期設定を行う必要があるという問題があった。
【０００６】
そこで、本発明は、言語機能を有する複数種のフォーマットのディスクを扱う場合に、単一の設定ファイルを用いて複数種のフォーマットのディスクの初期設定を自動的に行うことができる動画像再生装置及び動画像再生方法を提供することを目的とする。
【課題を解決するための手段】
【０００７】
上記した目的を達成するために、本発明の一実施形態における動画像再生装置及び動画像再生方法は、複数の言語の音声ストリーム、字幕ストリーム、メニュー情報を含む映像情報とその管理情報とを読み取るディスクドライブ部１０１と、前記ディスクドライブ部から出力された映像情報の中の任意のストリームを分離して抽出する分離部１０３と、前記分離するストリーム設定情報を格納した再生ストリーム設定情報管理テーブル１２２ａと、前記再生ストリーム設定情報管理テーブル１２２ａに記録されたストリーム設定情報を用いて、前記分離部１０３を制御し、複数種類の規格のディスクの再生設定を自動的に行う再生ストリーム設定情報管理部１２１ｂと、を有する。
【発明の効果】
【０００８】
上記した手段により、複数種の規格のディスクを交換したとしても、ユーザは一度だけ再生ストリームの設定を行うことで、ユーザの好みに合った言語などのストリームを自動的に選択し再生を行うことができる。
【発明を実施するための最良の形態】
【０００９】
以下、図面を参照して本発明の一実施形態に係わる動画像再生装置及び動画像再生方法について説明する。図１は、本発明に係わる動画像再生装置１００の構成例を示すブロック図である。
【００１０】
＜構成と機能＞
１は記憶媒体（光ディスク）であり、ディスクドライブ部１０１に装填されその情報が読み取られる。ディスクドライブ部１０１の出力部にはデータプロセッサ部１０２が接続されている。データプロセッサ部１０２の出力部にはデマルチプレクサ（ＤＭＵＸ）である分離部１０３が接続されている。
【００１１】
ディスク１は、映像情報（ビデオデータ、副映像（サブピクチャ）、音声データを総称したビデオオブジェクト）、管理情報が記録されている光ディスクである。上記の副映像、音声データには複数の言語のストリームが含まれている。さらに映像情報に関しても、一部が複数のストリームを形成しており、いずれかを選択することができる。そのために管理情報には、映像の一部ストリームを制限するためのパレンタルロック情報が含まれている場合がある。
【００１２】
ディスクドライブ部１０１は、ディスク１に記録されている映像情報、その映像情報に関する管理情報を読み取るものである。データプロセッサ部１０２は、ディスクドライブ部１０１で読み取った情報を復調し、さらにエラー訂正処理を施すものである。また、エラー訂正処理を施した情報をデータプロセッサ部１０２内のトラックバッファに一時格納する。
【００１３】
分離部１０３は、トラックバッファに格納されている情報を抽出し、ビデオパック、グラフィックユニットパック、オーディオパック、副映像パックに分離し、後段回路へ出力する。分離部１０３に供給されるパック列には、複数の言語の音声、副映像（字幕など）、またメニューなどのストリームが含まれている。そして分離出力されるパック列（ストリーム）は、ＭＰＵ１２１からの制御信号により特定される。
【００１４】
分離部１０３の出力部には、ビデオデコーダ部１１１、副映像デコーダ１１２、グラフィックデコーダ部１１３、オーディオデコーダ部１１４が接続されている。ビデオデコーダ部１１１、副映像デコーダ１１２、グラフィックデコーダ部１１３の出力端子はビデオプロセッサ部１０４に接続されている。ビデオプロセッサ部１０４の出力端子はＤ／Ａ変換器１３２に接続されている。Ｄ／Ａ変換器１３２の出力端子は、動画像再生装置１００に接続された表示装置（図示せず）に接続されている。また、オーディオデコーダ部１１４の出力端子はＤ／Ａ変換器１３３に接続されている。Ｄ／Ａ変換器１３３の出力端子はスピーカ（図示せず）に接続されている。
【００１５】
ビデオデコーダ部１１１はビデオパックをデコードするものである。副映像デコーダ１１２は副映像パックをデコードするものである。グラフィックデコーダ部１１３はグラフィックユニットパックをデコードするものである。オーディオデコーダ部１１４はオーディオパックをデコードするものである。ビデオプロセッサ１０４は、デコードされた映像情報の調整及び多重化を行うものである。Ｄ／Ａ変換器１３２、１３３は、それぞれディジタルである映像情報、音声情報をアナログ化するものである。
【００１６】
また、動画像再生装置１００内の各部には、バスを介してマイクロプロセッサユニット（ＭＰＵ）１２１が接続されている。ＭＰＵ１２１にはキー入力部１３１が接続されている。また、ＭＰＵ１２１にはさらに、バスを介してメモリ部１２２、ＲＯＭ部１２３が接続されている。
【００１７】
ＭＰＵ１２１は、動画像再生装置１００の各ブロックを統括的に制御している。メモリ部１２２には、映像情報に関する管理情報が格納される。ＲＯＭ部１２３には、動画像再生装置１００を動作させる為のソフトウェア等が格納されている。キー入力部１３１は、外部からの操作入力を制御信号に変換するものである。
【００１８】
なお各デコーダは、１つであるかのように示しているが、実際には、各種規格（ＤＶＤ，ＨＤ  ＤＶＤなど）に対応して動作するデコーダ（プレイヤ部）が用意されている。そして再生する規格のディスクに応じて、ビデオ、音声、副映像処理部が動作するようになっている。
【００１９】
＜動作＞
ディスク１がディスクドライブ部１０１に装填されると、ディスクドライブ部１０１は装填されたディスク１を回転駆動し、光ピックアップ（図示せず）を用いてディスク１に格納されている情報を読み取る。
【００２０】
ディスクドライブ部１０１で読み取られた映像情報は、データプロセッサ部１０２で復調及びエラー訂正処理が施され、データプロセッサ部１０２内のトラックバッファに格納される。このトラックバッファに格納された情報のうち、映像情報に関する管理情報はメモリ部１２２に記録され、再生制御やデータ管理等に利用される。トラックバッファに格納された映像情報は、分離部１０３に供給され、ビデオパック、グラフィックユニットパック、オーディオパック、副映像パックなどに分離される。
【００２１】
分離されたビデオパック、副映像パック、グラフィックユニットパック、オーディオパックは、ビデオデコーダ部１１１、副映像デコーダ１１２、グラフィックデコーダ部１１３、オーディオデコーダ部１１４にそれぞれ供給され、デコード処理が施される。このとき各デコーダに供給されるパックは、ユーザ所望の言語の音声、字幕、メニューのストリームが選択されている。
【００２２】
デコードされたビデオパック、副映像パック、グラフィックユニットパックは、ビデオプロセッサ１０４に供給され、多重処理が施される。多重処理が施された映像情報は、Ｄ／Ａ変換器１３２に供給され、表示部で表示可能な映像アナログ信号に変換される。映像アナログ信号は表示部に供給され、映像を表示させる。
【００２３】
また、デコードされたオーディオパックはＤ／Ａ変換器１３３に供給され、スピーカで再生可能な音声アナログ信号に変換される。音声アナログ信号はスピーカに供給され、音声を再生させる。
【００２４】
図２は、本発明に特に関連性があり、図１に示したＭＰＵ１２１に含まれる機能部の一例をブロック化して示す図である。ＭＰＵ１２１はメディア判別部１２１ａを有する。メディア判別部１２１ａは、ディスクドライブ部１０１に装着されたディスク１の種類を判別する。ディスクの種類の判別方法としては各種の方法がある。例えばバーストカッティングエリアの情報を読み取り、ここに記載されているディスク識別情報からディスクの種類を判別する方法ある。また、フォーカスサーチを行う際にフォーカスエラー信号のレベルと、使用している光ピックアップのレーザビーム波長との組み合わせからも、ディスクを推定することができる。
【００２５】
光ピックアップ装置で第１の光源を使用し、波長６５０ｎｍ、ＮＡ＝０．６５が設定されたときは以下のようになる。フォーカスエラー信号は、０のときは、ジャストフォーカスであり、対物レンズが前後移動（ディスクの厚み方向へ移動制御）されると、Ｓ字カーブの特性を示す。このとき最大値ＭＡＸは、ディスクがＤＶＤ，あるいはＨＤ  ＤＶＤのときは閾値Ｔｈ１を超える。ディスクがＣＤのときは、閾値Ｔｈ１を超えない。
【００２６】
また、光ピックアップ装置で、第２の光源を使用し、波長４０５ｎｍ、ＮＡ＝０．６５が設定されたときは以下のようになる。Ｓ字カーブの最大値ＭＡＸは、ディスクがＤＶＤ，あるいはＨＤ  ＤＶＤのときは閾値Ｔｈ２を超える。ディスクがＣＤのときは、閾値Ｔｈ２を超えない。
【００２７】
これにより、ＤＶＤもしくはＨＤ  ＤＶＤであるのか、ＣＤあるいは他のディスクであるのかを判別できる。ディスクがＤＶＤもしくはＨＤ  ＤＶＤであることが判明したときは、次にトラッキングエラー信号を判別することにより、ＤＶＤとＨＤ  ＤＶＤを判別できる。例えば、第１の光源（波長６５０ｎｍ）を使用し、ＮＡ＝０．６５が使用されているときは、ディスクがＤＶＤのときにトラッキングエラー信号が収束する、第２の光源（波長４０５ｎｍ）を使用し、ＮＡ＝０．６５が使用されているときは、ディスクがＨＤ  ＤＶＤのときにトラッキングエラー信号が収束する。この現象を利用することでＤＶＤ、ＨＤ  ＤＶＤの判別を行うことができる。
【００２８】
上記の、ＭＰＵ１２１は再生ストリーム設定情報管理部１２１ｂを有する。再生ストリーム設定情報管理部１２１ｂは、メモリアクセス部１２１ｄを介してメモリ部１２２に再生ストリーム設定情報管理テーブル１２２ａを作成するものである。
【００２９】
再生ストリーム設定情報管理テーブル１２２ａには、再生の際各種のフォーマットのディスク１に共通して使用される音声言語ストリーム、字幕言語ストリーム、メニュー言語ストリーム、パレンタルロックのオン／オフを設定した各設定情報が記録される。パレンタルロックとは、映像の視聴制限のことである。
【００３０】
また再生ストリーム設定情報管理部１２１ｂはパレンタルロック機能部１２１ｂ１、音声言語切替機能部１２１ｂ２、字幕言語切替機能部１２１ｂ３、メニュー言語切替機能部１２１ｂ４を有する。これらは再生ストリーム設定情報管理テーブル１２２ａに基づいて、ユーザ所望のストリームを抽出するように分離部１０３を制御するためのものである。即ち、パレンタルロック機能部１２１ｂ１は、ディスク１のチャプターに附属されている管理情報からパレンタルロック情報のオンを検出した場合、そのチャプターを飛ばして次のチャプターに繋げて再生するようにトラックバッファ及び分離部１０３を制御するものである。
【００３１】
音声言語切替機能部１２１ｂ２は、ディスク１に含まれている複数の言語の音声ストリームの内、ユーザの所望している言語の音声ストリームを再生するように分離部１０３を制御するものである。字幕言語切替機能部１２１ｂ３は、ディスク１に含まれている複数の言語の字幕ストリームの内、ユーザの所望している言語の字幕ストリームを表示させるように分離部１０３を制御するものである。メニュー言語切替機能部１２１ｂ４は、ディスク１に含まれている複数の言語のメニュー情報の内、ユーザの所望している言語のメニュー情報を表示させるように分離部１０３を制御するものである。上記した言語切替機能部で設定された再生ストリーム設定情報が再生ストリーム設定情報管理テーブル１２２ａに記録される。
【００３２】
また、ＭＰＵ１２１はＯＳＤ処理部１２１ｃを有する。ＯＳＤ処理部１２１ｃは字幕言語切替機能部１２１ｂ３、メニュー言語切替機能部１２１ｂ４の制御を受け、ユーザ所望の言語で字幕、メニューを表示させるものである。また、再生ストリーム設定情報管理テーブル１２２ａに情報を設定するとき、その設定メニューを表示させるものである。
【００３３】
またさらに、ＭＰＵ１２１はキー入力判別部１２１ｅを有する。キー入力判別部１２１ｅは、キー入力部１３１に入力された操作を各部に反映させるように、各部を制御するものである。また、再生設定の入力を再生ストリーム設定情報管理テーブル１２２ａに書き込むよう制御するものである。
【００３４】
本発明は上記の実施形態に限定されるものではない。再生ストリーム設定情報管理テーブル１２２ａに記録される設定情報は音声言語ストリーム、字幕言語ストリーム、メニュー言語ストリームの各設定情報、パレンタルロックのオン／オフ情報としたが、さらに設定を付け加える、若しくは削除してもよい。
【００３５】
図３は、再生装置において、ディスクが再生される際の、言語ストリームの自動設定処理が行われるときの一例を示すフローチャートである。ディスクがディスクドライブ部１０１に装着されると（ステップＳＡ１）、装着されたディスク１はＤＶＤまたはＨＤ  ＤＶＤであるか、他のディスク（ＣＤ又は不明）であるかどうか判別が行なわれる（ステップＳＡ２）。ＤＶＤまたはＨＤ  ＤＶＤでない場合、光学系であるＣＤ用のピックアップを切り替える（ステップＳＡ３ａ）。そしてＣＤである場合には表示部にＣＤであることの表示を行い終了する。不明ディスクの場合は、表示部にエラーを表示し終了する。
【００３６】
ＤＶＤまたはＨＤ  ＤＶＤであることが分かった場合、再生ストリーム設定情報管理部１２１ｂは再生ストリーム設定情報管理テーブル１２２ａを読出し、再生ストリーム設定情報管理テーブル１２２ａにメニュー言語が設定されているかどうか判断する（ステップＳＡ４）。設定されている場合、メニュー言語切替機能部１２１ｂ４は設定されている言語のメニューストリームを抽出するように分離部１０３を制御する（ステップＳＡ５）。
【００３７】
次に、再生ストリーム設定情報管理テーブル１２２ａに音声言語が設定されているかどうか判断する（ステップＳＡ６）。設定されている場合、音声言語切替機能部１２１ｂ２は設定されている言語の音声ストリームを抽出するように分離部１０３を制御する（ステップＳＡ７）。次に、再生ストリーム設定情報管理テーブル１２２ａに字幕言語が設定されているかどうか判断する（ステップＳＡ８）。設定されている場合、字幕言語切替機能部１２１ｂ３は設定されている言語の字幕ストリームを抽出するように分離部１０３を制御する（ステップＳＡ９）。以上の設定を終えたら、設定処理を終了し、再生を開始する（ステップＳＡ１０）。
【００３８】
ここで、ステップＳＡ４、ＳＡ６、ＳＡ８において使用する言語が再生ストリーム設定情報管理テーブル１２２ａに設定されていなかった場合、それぞれディスクの管理情報に記載されているデフォルトの言語ストリームを使用する（ステップＳＡ１１、ＳＡ１２、ＳＡ１３）。
【００３９】
また、本発明は上記の実施形態に限定されるものではない。ステップＳＡ４からステップＳＡ９のフローは順番を入れ替えてもよい。また、さらに設定を付け加える、若しくは削除してもよい。
【００４０】
図４は、再生を行う際の、パレンタルロック機能部１２１ｂ１で行われる処理の一例を示すフローチャートである。再生が開始されると（ステップＳＢ１）、再生ストリーム設定情報管理テーブル１２２ａにパレンタルロックがオンと記録されているかどうか判断する（ステップＳＢ２）。
【００４１】
まず、再生が終了かどうか判断する（ステップＳＢ３）。再生が終了される場合、そこで処理終了となる（ステップＳＢ６）。再生が継続される場合、ディスク１のチャプターに附属されている管理情報にパレンタルロック情報が含まれているかどうか判断する（ステップＳＢ４）。含まれていない場合、当該チャプターを通常再生し、ステップＳＢ３へ戻る。ステップＳＢ４において、パレンタルロック情報が含まれている場合、当該チャプターの再生を行わず、次のチャプターへとスキップし（ステップＳＢ５）、ステップＳＢ３へ戻る。
【００４２】
ステップＳＢ２において、パレンタルロックがオフであった場合には、ディスク１全体のデータまたはデフォルトあるいは優先順位の高いストリームを通常再生する（ステップＳＢ７）。
【００４３】
ここで、チャプターに付与されているパレンタルロックに情報に応じて、当該チャプターをスキップするとしたが、これに限定されるものではない。パレンタルロックがオンであり、ディスク１全体に付与されている管理情報にパレンタルロック情報が含まれる場合、そのディスク１を再生させないようにしてもよい。
【００４４】
図５は、再生ストリーム設定情報管理テーブル１２２ａに格納されている再生設定の管理メニューの表示例を示す説明図である。図５に示す再生設定管理メニュー（以下管理メニュー）（Ａ）は、図５の再生ストリーム設定情報管理テーブル１２２ａ（以下管理テーブル（Ｂ））に記録されている再生ストリーム設定情報を、ＯＳＤ処理部１２１ｃによって表示部に表示させているものである。表示されている管理メニュー（Ａ）では、日本語の音声ストリーム、字幕は表示無し、日本語のメニュー情報をディスク１の映像情報より抽出するように設定されている。また、パレンタルロックがオンとなっている。この為、パレンタルロック情報を含むチャプターの再生はスキップされる設定となっている。
【００４５】
上記した実施の形態により、複数種のフォーマットのディスクを再生する場合でも、ユーザは一度だけ再生設定を行うことで、ユーザが希望している言語ストリームを自動的に選択し再生を行うことができる。
【００４６】
ここで、パレンタルロックの設定はオン／オフの設定としたが、映像情報のパレンタルロックにレベルが設定されている場合、管理メニューのパレンタルロックにレベルを設定し、視聴制限を段階的に切り替えられるようにしてもよい。
【００４７】
本発明は上記の実施の形態に限定されるものではない。例えば、管理テーブル１２２ａの音声言語に日本語が設定されていたとする。海外で購入したディスク等では、日本語の音声ストリームが記録されていない場合が多い。その為、再生ストリーム設定情報が無効になってしまうことが考えられる。そこで、再生設定を複数記憶し、優先順位を付けるようにしてもよい。
【００４８】
図６は、他の実施例に係る再生設定の管理メニュー（Ａ）の表示例を示す説明図である。図６に示されている管理メニュー（Ａ）では、再生設定に優先順位が付されていることが示されている。図６は管理テーブル１２２ａであり、複数の再生ストリーム設定情報が優先順位と共に記録されている。この複数の再生設定がＯＳＤ処理部１２１ｃによって表示部に管理メニュー（Ａ）として表示されている。
【００４９】
即ち、優先順位１の再生設定では、日本語の音声ストリーム、字幕は表示無し、日本語のメニューの音声ストリーム、日本語のメニューの副映像ストリームを抽出するように設定されている。ここで、ディスク１に日本語の音声ストリームが含まれていない場合、優先順位２の設定情報を使用する。優先順位２の再生設定では、英語の音声ストリーム、日本語の字幕ストリーム、英語のメニューの音声ストリーム、日本語のメニューの副映像ストリームを抽出するように設定されている。また、優先順位３の再生設定では、フランス語の音声ストリーム、フランス語のメニューの音声ストリームを抽出するように設定されている。ここでは、字幕とメニューの副映像の言語は未設定として設定されている為、ディスク１のデフォルトの言語ストリームが設定される。
【００５０】
上記した実施の形態により、設定されていた言語が含まれない場合でも、ユーザの希望により近い言語ストリームを自動的に選択し、再生を行うことが出来る。上記の説明において、ストリーム設定情報は、表示装置の画面上として示したが、これに限らず、装置本体の表示部にストリーム設定情報を表示するようにしてもよい。
【００５１】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５２】
【図１】図１は、本発明に係わる動画像再生装置の構成例を示すブロック図である。
【図２】図２は、図１に示した動画像再生装置のＭＰＵに含まれる機能部の一例をブロック化して示す図である。
【図３】図３は、再生を行う際の、言語の自動設定処理の一例を示すフローチャートである。
【図４】図４は、再生を行う際の、パレンタルロック機能部で行われる処理の一例を示すフローチャートである。
【図５】図５は、再生ストリーム設定情報管理テーブルの管理メニューの表示例を示す説明図である。
【図６】図６は、他の実施例に係る再生設定の管理メニューの表示例を示す説明図である。
【符号の説明】
【００５３】
１…ディスク、１００…動画像再生装置、１０１…ディスクドライブ部、１０２…データプロセッサ部、１０３…分離部、１０４…ビデオプロセッサ部、１１１…ビデオデコーダ部、１１２…副映像デコーダ部、１１３…グラフィックデコーダ部、１１４…オーディオデコーダ部、１２１…ＭＰＵ、１２２…メモリ部、１２３…ＲＯＭ部、１３１…キー入力部、１３２…Ｄ／Ａ変換器、１３３…Ｄ／Ａ変換器。
【図１】
2007179611.tif 000003
【図２】
2007179611.tif 000004
【図３】
2007179611.tif 000005
【図４】
2007179611.tif 000006
【図５】
2007179611.tif 000007
【図６】
2007179611.tif 000008